(57)【要約】      （修正有）【課題】ユーザーの把持感を向上させ、ユーザーの長期間の把持使用をより便利にする録音ペン及び電子機器を提供する。【解決手段】電子機器、例えば録音ペンは本体モジュール１０１及びマイクユニットを含み、マイクユニットは本体モジュール１０１に設けられ、本体モジュール１０１の背板は段階状構造を呈する。階層の分割によって本体モジュール１０１の背板を段階状構造に設計し、該段階状構造の背板設計を介して、本体モジュール１０１の側辺の厚さを低減させ、ユーザーの把持感を向上させ、ユーザーの長期間の把持使用をより便利にする。録音ペンは全体的に、その視覚効果がより薄くなる。【選択図】図１
0003232950.tif 000002
【実用新案登録請求の範囲】
【請求項１】
録音ペンであって、
本体モジュール及びマイクユニットを含み、
前記マイクユニットは前記本体モジュールに設けられ、
前記本体モジュールの背板は段階状構造を呈することを特徴とする録音ペン。
【請求項２】
前記本体モジュールの背板はリヤカバー、リアハウジング及びフロントハウジングを含み、前記リヤカバーは前記リアハウジングを介して前記フロントハウジングに接続され、前記リヤカバー、前記リアハウジング、及び前記フロントハウジングは背板の段階状構造を構成することを特徴とする請求項１に記載の録音ペン。
【請求項３】
前記リアハウジングは前記リヤカバーに水平接続される第１ハウジングと、前記フロントハウジングに遷移接続される第２ハウジングとを含み、前記第１ハウジングと前記第２ハウジングとの間はＲ角を介して遷移することを特徴とする請求項２に記載の録音ペン。
【請求項４】
前記マイクユニットは前記本体モジュールの天井部に設けられる指向性マイクを含み、
前記録音ペンはさらに、前記指向性マイクを取り囲むように設けられる固定装置を含み、前記固定装置は前記本体モジュールの天井部に固定接続され、透かし彫り状構成であり、その透かし彫り状部分が前記指向性マイクのピックアップ方向にあることを特徴とする請求項１に記載の録音ペン。
【請求項５】
前記固定装置は上部固定板と２つの側面固定板とを含み、前記上部固定板は前記側面固定板に固定接続され、前記側面固定板は前記本体モジュールの天井部の側辺に固定接続され、前記上部固定板の、前記指向性マイクに対向する位置には貫通孔が開けられていることを特徴とする請求項４に記載の録音ペン。
【請求項６】
前記上部固定板は幅方向で前記指向性マイクを覆うことができることを特徴とする請求項５に記載の録音ペン。
【請求項７】
前記上部固定板は、幅方向での一端が本体モジュールの前面と揃え、他端が前記本体モジュールの背板から突出することを特徴とする請求項６に記載の録音ペン。
【請求項８】
前記上部固定板と前記側面固定板との間は円弧を介して遷移することを特徴とする請求項５に記載の録音ペン。
【請求項９】
前記マイクユニットはさらに、前記本体モジュールの内部に設けられる全方向マイクアレイを含み、本体モジュールの前面における前記全方向マイクアレイに対応する位置には収音孔が開けられていることを特徴とする請求項４に記載の録音ペン。
【請求項１０】
前記全方向マイクアレイに含まれる各全方向マイクは、前記本体モジュールの内部の両側空間に対称配置されることを特徴とする請求項９に記載の録音ペン。
【請求項１１】
さらに、前記本体モジュールの前面に設けられるタッチパネルを含むことを特徴とする請求項１に記載の録音ペン。
【請求項１２】
さらに、前記本体モジュールの左右の一側又は両側に設けられる電源ボタン、音量調節ボタン及び録音ボタンを含むことを特徴とする請求項１に記載の録音ペン。
【請求項１３】
電子機器であって、
機器本体モジュール及びマイクユニットを含み、
前記マイクユニットは前記機器本体モジュールに設けられ、
前記機器本体モジュールの背板は段階状構造を呈することを特徴とする電子機器。
【考案の詳細な説明】
【技術分野】
【０００１】
本出願は電子製品という技術分野に関わり、より具体的には、録音ペン及び電子機器に関わる。
【背景技術】
【０００２】
人工知能及び音声認識技術の発展に連れて、音声処理技術による電子製品がますます普及されている。録音ペンを例として、仕事、生活シーンにおいて、ユーザーに好まれている。
【考案の概要】
【考案が解決しようとする課題】
【０００３】
現在、市販の伝統の録音ペン構成は一般的に直方体の平面機器であり、その内部にはマイク、マザーボードなどの素子が設けられる。マイクのサイズ及び内部素子の数に限定されるから、従来の直方体構成の録音ペンは非常に厚くて、厚い録音ペンの背板はユーザーの長期間把持には不利で、使用にとって不便である。
【０００４】
上記の問題に鑑みると、伝統の電子機器、例えば録音ペンの直方体構成の背板が厚すぎて、使用が不便という問題を解決するために、本出願を提出することで、録音ペン及び電子機器を提供する。具体的な解決策は以下の通り。
【課題を解決するための手段】
【０００５】
録音ペンであって、
本体モジュール及びマイクユニットを含み、
前記マイクユニットは前記本体モジュールに設けられ、
前記本体モジュールの背板は段階状構造を呈する。
【０００６】
好ましくは、前記本体モジュールの背板はリヤカバー、リアハウジング及びフロントハウジングを含み、前記リヤカバーは前記リアハウジングを介して前記フロントハウジングに接続され、前記リヤカバー、前記リアハウジング、及び前記フロントハウジングは背板の段階状構造を構成する。
【０００７】
好ましくは、前記リアハウジングは前記リヤカバーに水平接続される第１ハウジングと、前記フロントハウジングに遷移接続される第２ハウジングとを含み、前記第１ハウジングと前記第２ハウジングとの間はＲ角を介して遷移する。
【０００８】
好ましくは、前記マイクユニットは前記本体モジュールの天井部に設けられる指向性マイクを含み、
前記録音ペンはさらに、前記指向性マイクを取り囲むように設けられる固定装置を含み、前記固定装置は前記本体モジュールの天井部に固定接続され、前記固定装置は透かし彫り状構成であり、その透かし彫り状部分が前記指向性マイクのピックアップ方向にある。
【０００９】
好ましくは、前記固定装置は上部固定板と２つの側面固定板とを含み、前記上部固定板は前記側面固定板に固定接続され、前記側面固定板は前記本体モジュールの天井部の側辺に固定接続され、前記上部固定板の、前記指向性マイクに対向する位置には貫通孔が開けられている。
【００１０】
好ましくは、前記上部固定板は幅方向で前記指向性マイクを覆うことができる。
【００１１】
好ましくは、前記上部固定板は、幅方向での一端が本体モジュールの前面と揃え、他端が前記本体モジュールの背板から突出する。
【００１２】
好ましくは、前記上部固定板と前記側面固定板との間は円弧を介して遷移する。
【００１３】
好ましくは、前記マイクユニットはさらに、前記本体モジュールの内部に設けられる全方向マイクアレイを含み、本体モジュールの前面における前記全方向マイクアレイに対応する位置には収音孔が開けられている。
【００１４】
好ましくは、前記全方向マイクアレイに含まれる各全方向マイクは、前記本体モジュールの内部の両側空間に対称配置される。
【００１５】
好ましくは、さらに、前記本体モジュールの前面に設けられるタッチパネルを含む。
【００１６】
好ましくは、さらに、前記本体モジュールの左右の一側又は両側に設けられる電源ボタン、音量調節ボタン及び録音ボタンを含む。
【００１７】
電子機器であって、
機器本体モジュール及びマイクユニットを含み、
前記マイクユニットは前記機器本体モジュールに設けられ、
前記機器本体モジュールの背板は段階状構造を呈する。
【００１８】
上記の技術案によれば、本出願が提供する電子機器、例えば録音ペンは本体モジュール及びマイクユニットを含み、マイクユニットは本体モジュールに設けられ、本体モジュールの背板は段階状構造を呈する。本出願は階層の分割によって本体モジュールの背板を段階状構造に設計し、該段階状構造の背板設計を介して、本体モジュールの側辺の厚さを低減させ、ユーザーの把持感を向上させ、ユーザーの長期間の把持使用をより便利にする。録音ペンは全体的に、その視覚効果がより薄くなる。
【図面の簡単な説明】
【００１９】
以下の好適な実施形態の詳しい記載により、各種の他の利点及び長所は当業者にとって明らかになる。図面は本出願に対する限定ではなく、ただ好適な実施形態を示すことを目的とする。図面全体において、同じ符号で同じ構成要素を示す。
【図１】本出願の実施例が提供する録音ペンの背面図である。
【図２】本出願の実施例が提供する録音ペンの前面図である。
【図３】本出願の実施例が提供する録音ペンの左面図である。
【図４】本出願の実施例が提供する録音ペンの右面図である。
【図５】本出願の実施例が提供する録音ペンの上面図である。
【図６】本出願の実施例が提供する録音ペンの底面図である。
【図７】本出願の実施例が提供する録音ペンの正面横断面図である。
【図８】本出願の実施例が提供する録音ペンの正面縦断面図である。
【図９】本出願の実施例が提供する録音ペンの回路ハードウェアの原理図である。
【考案を実施するための形態】
【００２０】
以下は本出願の実施例の図面を結合して、本出願の実施例の技術案を明らか且つ完全に記載し、明らかに、記載の実施例は全ての実施例ではなく、本出願の一部の実施例のみである。本出願の実施例に基づき、当業者が進歩性に値する労働をしない前提で、取得した他の全ての実施例はいずれも本出願の保護範囲に属する。
【００２１】
本出願は電子機器を開示し、機器本体モジュール及びマイクユニットを含む。機器本体モジュールの背板は段階状構造を呈し、マイクユニットは機器本体モジュールに設けられる。本出願は階層の分割によって機器本体モジュールの背板を段階状構造に設計し、該段階状構造の背板設計によって、機器本体モジュールの側辺の厚さを低減させ、ユーザーの把持感を向上させ、ユーザーの長期間の把持使用をより便利にする。電子機器は全体的に、その視覚効果がより薄くなる。
【００２２】
理解できるように、本出願の電子機器はタイプが異なる多種の装置であってもよく、例えば、電子機器は携帯電話、録音ペンなどのタイプが異なる電子機器であってもよい。以下の実施例において、電子機器は録音ペンであることを例として説明する。
【００２３】
図１〜９は本出願の録音ペンの構成模式図を示し、以下は図１〜９を結合して、本出願の録音ペンを紹介する。
【００２４】
いくつかの実施例において、本出願の録音ペンは本体モジュール１０１とマイクユニットとを含む。
【００２５】
マイクユニットは本体モジュール１０１に設けられ、環境音信号をピックアップする。
【００２６】
本体モジュール１０１の背板は段階状構造を呈する。
【００２７】
本出願の実施例が提供する録音ペンは本体モジュールとマイクユニットとを含み、マイクユニットは本体モジュールに設けられ、本体モジュールの背板は段階状構造を呈する。本出願は階層の分割によって本体モジュールの背板を段階状構造に設計し、該段階状構造の背板設計を介して、本体モジュールの側辺の厚さを低減させ、ユーザーの把持感を向上させ、ユーザーの長期間の把持使用をより便利にする。録音ペンは全体的に、その視覚効果がより薄くなる。
【００２８】
好ましくは、本体モジュール１０１の背板はリヤカバー１０１１、リアハウジング１０１２及びフロントハウジング１０１３を含む。リヤカバー１０１１はリアハウジング１０１２を介してフロントハウジング１０１３に接続され、リヤカバー１０１１、リアハウジング１０１２及びフロントハウジング１０１３は背板の段階状構造を構成する。
【００２９】
リヤカバー１０１１は、プラスチックＰＣ材質、ガラスセラミックス材質などの多種の材質を採用でき、ガラスリヤカバーを例として、本体モジュール１０１の質感を向上させることができる。
【００３０】
リアハウジング１０１２とフロントハウジング１０１３とは取り外し可能に接続されてもよいし、一体成型されてもよい。フロントハウジング１０１３とリアハウジング１０１２との遷移面は、階段構造の第１階段面を構成し、リヤカバー１０１１は階段構造の第２階段面を形成する。
【００３１】
リアハウジング１０１２及びフロントハウジング１０１３は、プラスチックＰＣ材質、金属材質、ガラスなどの多種の材質を採用でき、プラスチックＰＣ材質を例として、射出成形と塗装工程とを採用することで、背板の階段構造はより薄くになり、且つ質感を有する。
【００３２】
好ましくは、リアハウジング１０１２は、リヤカバー１０１１に水平接続されており、リヤカバー１０１１を固定するための第１ハウジングと、フロントハウジング１０１３に遷移接続される第２ハウジングとを含む。第１ハウジングと第２ハウジングとの間は垂直接続されてもよいし、遷移接続されてもよく、例えば、第１ハウジングと第２ハウジングとの間はＲ角を介して遷移し、即ち、ラジアン処理を行う。ラジアン処理によって、第１ハウジングと第２ハウジングとの接続箇所を滑らかに遷移させ、ユーザーが録音ペンを把持する際、手のひらとのフィット度合いがより高くなり、手を痛めることがなく、ユーザーの長期間の把持使用をより便利にする。
【００３３】
本出願のいくつかの実施例において、録音ペンはさらに、本体モジュール１０１の内部に設けられるとともに、マイクユニットに電気接続されるマザーボード１０３を含む。マザーボード１０３はマイクユニットによりピックアップされた環境音信号を処理する。
【００３４】
好ましくは、本体モジュール１０１に設けられるマイクユニットは指向性マイク１０２１を含む。
【００３５】
指向性マイクによりピックアップされた環境音信号は、シーンの音、喋りの音などを含み、マイクによるピックアップ環境内にある音に対して、いずれもピックアップすることができる。
【００３６】
指向性マイク１０２１はスーパーポインティングマイクとも呼ばれ、ただ単一方向に向いてピックアップし、ピックアップ方向の環境音信号に対する感度が、他の方向の環境音信号に対する感度より高い。指向性マイク１０２１は容量性マイク、例えば微小電気機械マイク、エレクトレット容量性マイクなどを採用できる。指向性マイク１０２１は、長距離、ハイファイのピックアップシーンを指向し、指向性マイク１０２１による録音の音質聴感及び録音の忠実度が、シリコンマイクより遥かに高い。異なるサンプリングレート、異なる精度で音をピックアップすることで、長距離のハイファイ録音を実現でき、より真実、明瞭な録音現場を再現でき、例えば、９６ＫＨＺ、２４ｂｉｔ以上のサンプリングレート及びサンプリング精度で、ピックアップし採集する場合、そのピックアップ距離は１５メートル以上に達することができる。
【００３７】
指向性マイク１０２１は本体モジュール１０１の天井部に固定され、天井部の大きい空間を十分に利用して、指向性マイク１０２１を収容し、本体モジュール１０１の天井部は自然に、指向性マイクのピックアップ方向を遮蔽しない。
【００３８】
指向性マイク１０２１を本体モジュール１０１の天井部に配置することで、本体モジュール１０１の他の位置に配置することによる、本体モジュール１０１の内部空間に対する占有を避けるとともに、他の素子とはデバイス干渉を形成することがなく、録音ペンの素子配置全体はより合理になり、録音ペンのピックアップ効果を向上させる。
【００３９】
指向性マイク１０２１の数は１つ又は複数であってもよく、図１及び図２は、指向性マイク１０２１が２つである場合のみを示し、それ以外、指向性マイク１０２１は他の可能な数であってもよく、本出願は指向性マイク１０２１の数及び位置をいずれも厳しく限定しない。
【００４０】
さらに好ましくは、マイクユニットは全方向マイクアレイ１０２２を含む。
【００４１】
全方向マイクアレイ１０２２によりピックアップされた環境音信号はシーンの音、喋りの音などを含み、マイクによるピックアップ環境内にある音に対して、いずれもピックアップすることができる。
【００４２】
全方向マイクアレイ１０２２は、録音シーンの３６０度全方位のピックアップに適用され、ダイナミックマイク、リボンマイク、シリコンマイクなどを採用してもよい。シリコンマイクを例として、その一致性が優れて、自己適応距離が５〜８メートルに達するから、小さいシーンの録音需求を完全に満たすことができる。シリコンマイクを採用することで、その高い感度、及び位相一致という特性を利用して、音源の位置決めとナロービーム計算との精度を向上させる。本出願において、異なるサンプリングレート、及び異なる精度、例えば１６ＫＨＺ、２４ｂｉｔ以上のサンプリングレート及びサンプリング精度で、ピックアップ、及びサンプリングを行うことができる。
【００４３】
全方向マイクアレイ１０２２は本体モジュール１０１の内部に設けられ、全方向マイクアレイによるピックアップを保証するために、本体モジュール１０１の前面の、全方向マイクアレイ１０２２に対応する位置に、ピックアップ孔を開けてもよい。
【００４４】
例示的な場合では、全方向マイクアレイ１０２２に含まれる各全方向マイクは、本体モジュール１０１の２つの側面空間に対称配置されることで、全方向マイクによるアレイピックアップの全方向性を保証する。無論、それ以外、全方向マイクアレイ１０２２に含まれる各全方向マイクはさらに、本体モジュール１０１の一側の空間に設けられてもよく、図２は好適な分布形態のみを示し、本出願は全方向マイクアレイ１０２２の数及び位置をいずれも厳しく限定しない。
【００４５】
好ましくは、本出願の録音ペンはさらに、本体モジュール１０１の内部空間に収容されるマイクスタンドを含む。該マイクスタンドは全方向マイクアレイ１０２２を側面空間に固定する。
【００４６】
マイクスタンドの数は、全方向マイクアレイ１０２２に含まれる全方向マイクの数と同様であってもよく、即ち、各全方向マイクに対して、いずれも１つのマイクスタンドを配置し、無論、マイクスタンドの数は全方向マイクの数と異なってもよく、具体的な数について、本出願は限定しない。
【００４７】
本出願のいくつかの実施例において、全方向マイクアレイ１０２２は、第１全方向マイクユニットと第２全方向マイクユニットという２つの全方向マイクユニットに分割されてもよく、第１全方向マイクユニットと第２全方向マイクユニットとはそれぞれいくつかの全方向マイクを含み、第１全方向マイクユニット及び第２全方向マイクユニットに含まれる全方向マイクの数は、同様又は異なってもよい。
【００４８】
第１全方向マイクユニットは第１回路基板を介してマザーボード１０３に接続され、第２全方向マイクユニットは第２回路基板を介してマザーボード１０３に接続される。第１回路基板と第２回路基板とは、同一の回路基板であってもよいし、異なる回路基板であってもよく、本出願は限定しない。
【００４９】
第１全方向マイクユニットと第２全方向マイクユニットとはそれぞれ本体モジュール１０１の２つの側面空間に固定される。全方向マイクアレイ１０２２を２つのユニットに分割し、それぞれ本体モジュール１０１の２つの側面空間に固定することで、全方向マイクの性能に影響することがなく、側面空間を十分に利用でき、機体の両側のスクリーンツー体比を大幅に小さくする。
【００５０】
図２に示すように、例示的な場合、全方向マイクアレイに含まれる全方向マイクの数は６つであれば、第１全方向マイクユニットと第２全方向マイクユニットとはそれぞれ３つの全方向マイクを含み、第１全方向マイクユニットと第２全方向マイクユニットとは本体モジュール１０１の両側に対称配置される。
【００５１】
上記の全方向マイクアレイ１０２２によりピックアップされた環境音信号は、環境音信号のノイズ低減に適用されることができる。指向性マイク１０２１は指向性モードのピックアップに用いられ、優れた方向性を具備し、他の方向、例えば逆方向の環境音信号は物理濾過される。指向性マイクと全方向マイクアレイとの協力により、よいピックアップ効果に達することができる。
【００５２】
マイクユニットには、同時に指向性マイク１０２１と全方向マイクアレイ１０２２とが含まれる場合、マザーボード１０３は音源位置決め、ナロービームノイズ低減及びエコー除去などの音声処理アルゴリズムを結合して、全方向マイクアレイ１０２２、指向性マイク１０２１によりピックアップされた環境音信号を相応的に処理し、例えば、全方向マイクアレイ１０２２によりピックアップされた環境音信号に対してエコー除去、ノイズ低減などの処理を行うことで、後続の認識転写のための録音データフローを取得する。指向性マイク１０２１によりピックアップされた環境音信号に対してエコー除去処理を行うことで、録音の聴感を向上させるためのハイファイの録音を取得する。
【００５３】
上記の両部分の録音は、転写効率及び正確さを保証するとともに、耳の録音の聴感を保証し、最も真実且つハイファイの現場の環境音を再現する。
【００５４】
本出願のいくつかの実施例において、指向性マイク１０２１を取り囲むように、固定装置１０４を配置し、固定装置１０４は本体モジュール１０１の天井部に固定接続され、具体的な接続方式について、本出願は限定しない。固定装置１０４を配置することで、本体モジュール１０１の天井部の構成強度を向上させ、指向性マイクに対して保護作用を形成できる。
【００５５】
指向性マイクによるピックアップを保証するために、固定装置１０４は透かし彫り状構成に設計され、その透かし彫り状部分は指向性マイク１０２１のピックアップ方向にあり、本出願は固定装置１０４の構成を厳しく限定しない。
【００５６】
さらに、指向性マイク１０２１によるピックアップ効果を保証するために、本出願の実施例は固定装置１０４の好適な設計構成を提供し、即ち、固定装置１０４は上部固定板１０４１及び２つの側面固定板１０４２を含む。上部固定板１０４１は側面固定板１０４２に固定接続され、側面固定板１０４２は本体モジュール１０１の天井部の側辺に固定接続され、上部固定板１０４１の、指向性マイク１０２１に対向する位置には貫通孔が開けられている。本実施例が提供する固定装置１０４の構成に基づいて分かるように、その前後両側は、指向性マイク１０２１を遮蔽することがなく、天井部の上部固定板１０４１にも貫通孔が開けられ、これによって、指向性マイク１０２１の開孔率をよく満たして、指向性マイク１０２１によるピックアップ効果を保証できる。
【００５７】
指向性マイク１０２１を保護するために、本出願の実施例において、上部固定板１０４１は幅方向で指向性マイク１０２１を覆うことができるように配置される。
【００５８】
本出願の実施例において、本体モジュール１０１の背板から前面までの厚さは、指向性マイク１０２１の直径に等しくするように配置される。これに基づき、図３及び図４に示すように、本出願の実施例において、上部固定板１０４１の、幅方向での一端は、本体モジュール１０１の前面と揃えて、他端は本体モジュール１０１の背板から突出するように配置される。このように配置すれば、上部固定板１０４１は指向性マイク１０２１を完全に覆って、保護作用を形成する。録音ペンは水平に置かれる場合、背板から突出する上部固定板１０４１は、荷重平面と衝突しないように指向性マイク１０２１を保護できる。リヤカバー１０１１と荷重平面との間に支持を形成でき、録音ペンの持ち上げ操作をより便利にする。
【００５９】
さらに、側面固定板１０４２は、本体モジュール１０１の側面と同じ幅になるように設計されると、側面固定板１０４２は本体モジュール１０１の側面に、滑らかに遷移接続される。上部固定板１０４１と側面固定板１０４２との間は、垂直分割造形に設計されると、上部固定板１０４１と側面固定板１０４２とは、指向性マイク１０２１に対する保護作用を果たすとともに、録音ペンの底部を貫通した分割造形により、硬骨及びビジネス感覚を表現でき、視覚体験がよりよくなる。
【００６０】
さらに、上部固定板１０４１と側面固定板１０４２との間は円弧を介して遷移する。円弧遷移により、ユーザーの触り心地を向上させ、手を痛めるという現象がない。円弧構造はより丈夫である。
【００６１】
本出願のいくつかの実施例において、録音ペンはさらにカメラモジュール１０５を含む。カメラモジュール１０５は本体モジュール１０１の背板に設けられる。
【００６２】
カメラモジュール１０５は画像を撮影する。本出願の録音ペンを利用して録音する過程において、紙の原稿、ディスプレイにおける画像などに対して同時に画像撮影を行うことができ、撮影された画像は、マザーボード１０３による画像の認識、画像のノイズ除去処理に用いられる。
【００６３】
例示的なシーン、例えば、会議シーンで、ユーザーは録音ペンを利用して録音すると同時に、スピーチ原稿の内容を撮影でき、さらに、マザーボードにより撮影された内容を認識し、テキスト形態に変換し、録音に対応する転写テキストとともに保存する。
【００６４】
この場合、マザーボード１０３は撮影された画像に対して画像の認識を行って、例えばＯＣＲ認識技術により画像に対応するテキスト内容を得て、テキスト内容と、録音に対応する転写テキストとを融和させ、記憶し、例えば、画像の撮影時間に応じて、画像に対応する認識テキスト内容を、対応する時間の録音転写テキストにインサートする。無論、マザーボードは撮影された初期画像を一緒に記憶してもよい。
【００６５】
カメラモジュールによる撮影とマイクによるピックアップとを融和させることで、シーン情報をより全面的に記録し、録音すると同時に、写真を撮って、画像認識によりテキスト内容を取得し、録音に対応する転写テキストと融和編集を行って、ユーザーの後続のデータレビューをより便利にする。
【００６６】
本出願のいくつかの実施例において、録音ペンはさらにタッチパネル１０６を含む。タッチパネル１０６は本体モジュール１０１の前面に設けられる。
【００６７】
タッチパネル１０６はＬＣＤスクリーン又は電子インクスクリーンなどの他の材質のスクリーンを採用してもよい。スクリーンのサイズに対して限定しなくてもよく、例えば、３.５インチのスクリーンを採用できる。タッチパネル１０６の解像度に対して、ページ内容の表示を満たすために、４８０＊８００又はより高い解像度を採用してもよい。その同時に、インタラクションのコントロールインターフェース、機器状態の表示インターフェースとしてもよい。録音制御、シーン選択、転写文字表示、翻訳、設置、字幕のリアルタイム表示などは、いずれもタッチパネル１０６を介して実現されることができ、単純の物理ボタンに比べると、操作はより速い。
【００６８】
本出願のいくつかの実施例において、録音ペンはさらに感光デバイス１０７及び指示ランプ１０８を含む。感光デバイス１０７及び指示ランプ１０８は本体モジュール１０１の前面に設けられるとともに、タッチパネル１０６にある。
【００６９】
本出願のいくつかの実施例において、マザーボード１０３はオーディオエンコーダ１０９及びプロセッサー１１０を含む。
【００７０】
オーディオエンコーダ１０９は、全方向マイクアレイ１０２２及び指向性マイク１０２１によりピックアップされた環境音信号に対してデジタル符号化を行うことで、デジタルオーディオを取得して、デジタルオーディオをプロセッサー１１０に伝送する。プロセッサー１１０は、前記デジタルオーディオを処理して、録音データを取得して、及びカメラモジュール１０５により撮影された画像に対して画像認識処理を行うことで、画像に対応する認識結果を取得する。
【００７１】
さらに、オーディオエンコーダ１０９はスピーカーにより再生されたアナログオーディオに対してデジタル符号化を行って、エコー除去参照信号として、デジタル信号に変換し、プロセッサー１１０に送信する。
【００７２】
オーディオエンコーダ１０９とプロセッサー１１０との間はＩ２Ｓ／ＴＤＭ、Ｉ２Ｃなどのデジタルインターフェースを介してデータを伝送する。
【００７３】
オーディオデータの同期性及び適時性を保証するために、各アナログオーディオに対して、いずれも独立のオーディオエンコーダを配置することで、デジタル−アナログ変換を実現する。無論、同一のオーディオエンコーダを共用してもよく、オーディオエンコーダの具体的な数について、本出願は限定しない。プロセッサー１１０は全方向マイクアレイと指向性マイクとの環境音信号を受信し、全方向マイクアレイ、音声強調などの音声アルゴリズム演算、データスケジューリング伝送、周辺協調論理制御及びシステムアプリケーションのインタラクション管理を行う。プロセッサー１１０は十分な演算能力を具備し、ロカール音声認識及び転写サービスも提供でき、転写内容のオフラインのリアルタイム表示を実現する。プロセッサー１１０はブルートゥース、Ｗｉ−Ｆｉ無線伝送を支持し、ＧＰＳ位置決め機能を満たす。指向性マイクにより採集された録音データ、全方向マイクアレイにより採集された複数の環境音信号、全方向マイクアレイにより採集された環境音信号に対してノイズ低減処理を行った後の、認識転写のための録音データは、Ｗｉ−Ｆｉ無線伝送という形態で、リアルタイム又は定期的に、クラウド及び無線機器に伝送され、クラウドによる認識、転写、回顧、検索、分析及び保存に用いられ、即ち、オンライン、オフラインという２つの方式で、環境音信号を処理でき、明らかに、該２つの方式は同時に処理してもよいし、必要に応じて処理してもよく、具体的な処理方式について、本出願は限定しない。
【００７４】
好ましくは、クラウドで、各ユーザーに対して、単独のアカウントを配置することで、自分の録音データに関連するデータを管理し、例えば再生、削除、回顧、検索、分析などの操作を行うことで、ユーザーは録音ペンを持ち歩かなく、又は録音ペンを紛失しても、クラウドに記憶された録音データに関連するデータを使用でき、ユーザーに大きい便利をもたらす。
【００７５】
プロセッサー１１０はロカール音声をテキストに転写する能力を具備し、ネットワークがない場合、ロカールで録音に対して転写、翻訳などの動作を行うことができる。
【００７６】
プロセッサー１１０は十分な演算能力を具備し、ロカール音声認識及び転写サービスを提供できる。該プロセッサー１１０は全方向マイクアレイにより採集された複数の初期録音データフロー、指向性マイクにより採集された録音データフロー、ノイズ低減処理後の認識転写録音データフロー、及び聴感録音データフローを全て、シームレス且つリアルタイムにクラウドに送信する。その同時に、プロセッサー１１０はロカールアルゴリズムエンジンを起動させ、認識、転写、翻訳、導出などを含んで音声を文字に認識転写する。機器がオフラインする場合、転写結果などをリアルタイムに取得できる。
【００７７】
本出願のいくつかの実施例において、図７及び図８の録音ペンのハードウェア配置の模式図を結合して、録音ペンの各ユニットの配置方式を紹介する。
【００７８】
図７は録音ペンの本体モジュールの横方向に沿う断面図である。図７から分かるように、全方向マイクアレイ１０２２における複数の全方向マイクは、本体モジュール１０１の２つの側面空間内に分布される。
【００７９】
本体モジュール１０１の前面にはタッチパネル１０６が設けられる。タッチパネル１０６と本体モジュール１０１のリヤカバー１０１１との間にはマザーボード１０３及びバッテリ１１２が設けられる。
【００８０】
本体モジュール１０１の背板は、リヤカバー１０１１、リアハウジング１０１２及びフロントハウジング１０１３から、段階状構造に形成される。
【００８１】
本体モジュール１０１の側面には実体物理ボタン１１１が設けられ、実体物理ボタンは電源ボタン、音量調節ボタン及び録音ボタンなどを含む。
【００８２】
本出願が提供する段階状構造の背板に基づき、本出願の実施例はさらに録音ペンの組立解決策を提供し、具体的に、前向きの組立方式を採用し、即ち、リヤカバー１０１１から順次に、前向きに組み立てられ、最後は、タッチパネル１０６を組み立てる。
【００８３】
図８は録音ペンの本体モジュールの縦方向に沿う断面図である。図８から分かるように、本体モジュール１０１の内部では、マザーボード１０３とリヤカバー１０１１との間の空間内において、録音ペンの上部にアンテナスタンド１１３を配置し、録音ペンの中部にバッテリ１１２を配置し、録音ペンの下部にスピーカーユニット１１４を配置する。
【００８４】
本出願のいくつかの実施例において、図９の録音ペンの回路ハードウェアの原理図を結合し、録音ペンのデータ処理過程を紹介する。
【００８５】
録音ペンは、プロセッサー１１０、オーディオエンコーダ１０９、指向性マイク１０２１、全方向マイクアレイ１０２２、カメラモジュール１０５、タッチパネル１０６、実体操縦ボタン１１１、記憶モジュール１１５、データインターフェース１１６、電源管理モジュール１１７、充電管理モジュール１１８、及びバッテリ１１２のようなハードウェア構成を含む。
【００８６】
図９に示すように、上記の指向性マイク１０２１はオーディオエンコーダ１０９を介してプロセッサー１１０に電気接続され、全方向マイクアレイ１０２２はオーディオエンコーダ１０９を介してプロセッサー１１０に電気接続される。また、プロセッサー１１０はさらに、カメラモジュール１０５、タッチパネル１０６、実体操縦ボタン１１１、記憶モジュール１１５、データインターフェース１１６、電源管理モジュール１１７及び充電管理モジュール１１８に電気接続され、電源管理モジュール１１７にはさらに、録音ペンにおける各素子に給電するためのバッテリ１１２が接続される。
【００８７】
オーディオエンコーダ１０９は指向性マイク及び全方向マイクアレイにより採集されたアナログオーディオをデジタルオーディオに変換し、エコー除去参照信号として、スピーカーにより再生されたアナログオーディオを同期にデジタルオーディオに変換し、Ｉ２Ｓ／ＴＤＭ、Ｉ２Ｃなどのデジタルインターフェースを介して全てのデジタルオーディオデータをプロセッサー１１０に伝送して、関連演算を行う。
【００８８】
オーディオデータの同期性及び適時性を保証するために、各アナログオーディオに対して、いずれも独立のオーディオエンコーダを配置することで、デジタル−アナログ変換を実現する。
【００８９】
カメラモジュール１０５はＭＩＰＩインターフェースを介してプロセッサー１１０に接続される。
【００９０】
以上で紹介した機能以外、プロセッサーはカメラモジュール１０５から送信される画像を受信でき、内部のＩＳＰにより、画像の効果を向上させ、その同時に、画像認識アルゴリズムと協力して、画像内容を認識し、認識テキスト内容を取得する。該認識テキスト内容は、録音に対応する転写テキストと融和され、記憶されてもよいし、ＬＥＴ、Ｗｉ−Ｆｉ無線伝送という形態で、リアルタイム又は定期的にクラウド及び無線機器に伝送され、クラウドによる分析及び保存に用いられてもよい。
【００９１】
プロセッサー１１０に対して、暗号化プロセッサーを採用でき、即ち、処理対象となるファイルに対して、自動暗号化を行っており、認定アプリケーション又は端末のみがファイルを開くことができ、これによって、録音ファイルのデータ安全を保証する。
【００９２】
さらに、プロセッサー１１０はインテリジェントファイル管理システムを支持し、ファイルに時間、場所、シーン、名称などのような多次元のラベルを追加し、任意のラベルを検索することで、ラベルに対応するファイル内容を取得できる。その同時に、音声又は文字検索方式で検索できる。
【００９３】
記憶モジュール１１５はシステムコード、録音データ、転写データ、個人設定情報などを記憶し、データインターフェース又は無線モジュールを介して、オーディオデータを導出し又はクラウドスペースにアップロードする。無線モジュールを介して、ネットワークを有効にして、リアルタイムに転写し、アップロードすることができる。録音を共有することで、録音ペンが録音すると同時に、内容を同期にクラウドスペースにアップロードし、転写保存を行うことができる。他の端末は、録音内容及び文字内容を同期に聞こえて、または見えて、リアルタイム同期、リアルタイム共有の効率を実現する。
【００９４】
電源管理モジュール１１７、バッテリ１１２及び充電管理モジュール１１８は録音ペンの給電管理部分を構成し、そのうちに５Ｖ／２Ａ充電プロトコルを追加することで、バッテリに対して標準モードの充電を行って、充電効率を向上させた上に、安全を保証できる。
【００９５】
実体操縦ボタン１１１は電源ボタン１１１１、音量調節ボタン１１１２及び録音ボタン１１１３を含む。電源ボタン１１１１、音量調節ボタン１１１２及び録音ボタン１１１３は本体モジュール１０１の左右の一側又は両側に設けられ、その配置位置は側面の上部、中部、下部であってもよく、図３〜４は１つの好適な配置方式のみを示し、それ以外、実際必要に応じて、他の配列位置及び方式を選択してもよい。
【００９６】
さらに、録音ペンは、４／５ＧＳＩＭカードを差し込み、ネットワークを有効にして、データのアップロード及びダウンロードを行うためのカードスロット１１９を含む。
【００９７】
データインターフェース１１６はＴｙｐｅ−Ｃインターフェース、Ｍｉｃｒｏ ＵＳＢインターフェースなどの多種のタイプのデータインターフェースであってもよく、外部機器とデータ伝送を行って、及び充電機能を提供する。データインターフェース１１６は本体モジュール１０１の底部又は他の位置に設けられ、図６に示すように、データインターフェース１１６を本体モジュール１０１の底部の中央位置に設けて、その同時に、データインターフェース１１６の両側に音を再生するためのスピーカー１１４を設けても良い。
【００９８】
最後、説明しようとするのは、本明細書において、第１及び第２などのような関係用語はこれらの実体又は操作の間にはこのような実際の関係又は順序が存在するように要求又は暗示しなく、ただ１つの実体又は操作と他の実体又は操作とを区別する。そして、用語「含む」、「包含」又はその任意の他の変形は非排他的な包含をカバーすることで、一連の要素を含む過程、方法、品物又は機器は、これらの要素だけではなく、明らかに挙げられていない他の要素を含み、又は、このような過程、方法、品物又は機器の固有要素を含む。より多い限定がない場合、「１つの……を含む」という語句で限定される要素は、前記要素を含む過程、方法、品物又は機器には、別の同一要素が存在することを排除しない。
【００９９】
本考案における各実施例に対して漸進という方式で記載され、各実施例は、他の実施例との相違点を主に説明し、各実施例の間は必要に応じて組み合わせてもよく、同様または類似部分について、互いに参照すればよい。
【０１００】
開示された実施例に対する上記の説明により、当業者は本出願を実現し又は使用できる。これらの実施例に対する多種の補正は当業者にとって自明であり、本明細書に定義される一般的な原理は、本出願の精神又は範囲から逸脱しない場合、他の実施例で実現されることができる。従って、本出願は本明細書のこれらの実施例に限定されず、本明細書の開示原理及び新規性特点と一致する、最も広い範囲に合う。
【符号の説明】
【０１０１】
１０１  本体モジュール
１０４  固定装置
１０６  タッチパネル
１０１１  リヤカバー
１０１２  リアハウジング
１０１３  フロントハウジング
１０２１  指向性マイク
１０２２  全方向マイクアレイ
１０４１  上部固定板
１０４２  側面固定板
１１１１  電源ボタン
１１１２  音量調節ボタン
１１１３  録音ボタン
【図１】
0003232950.tif 000003
【図２】
0003232950.tif 000004
【図３】
0003232950.tif 000005
【図４】
0003232950.tif 000006
【図５】
0003232950.tif 000007
【図６】
0003232950.tif 000008
【図７】
0003232950.tif 000009
【図８】
0003232950.tif 000010
【図９】
0003232950.tif 000011